(57)【特許請求の範囲】
【請求項１】
ネットワークを通じて互いに接続でき、各々の格納装置が装着された一つ以上の録画／再生装置を備えるＰＶＲシステムにおいて、
上記録画／再生装置がネットワークを通じて接続するサーバと、
上記サーバにより管理され、上記録画／再生装置の各々に関するＩＰアドレスの目録及び各録画／再生装置内の格納装置に格納された放送プログラムに関する目録が格納されたデータベースとを更に備え、
上記サーバに接続された録画／再生装置は、所望の放送プログラムを上記データベースから検索し、検索された放送プログラムが格納されている該当録画／再生装置に接続して上記放送プログラムを伝送し、
放送プログラムのＰＶＲへのダウンロードが許可されないとき、該放送プログラムをリアルタイムで受信し再生するかまたは予約時刻にダウンロードするかを決定し、
放送プログラムをリアルタイムで受信するときは、その転送された放送プログラムをＰＶＲの格納装置に格納し、同時にディスプレイ上に再生し、
前記放送プログラムが予約時刻にダウンロードされたとき、データを所定時刻にリモートＰＶＲから受信し、ユーザＰＶＲの格納装置に格納する、
ことを特徴とするＰＶＲシステム。
【請求項２】
上記録画／再生装置は、ネットワークを通じてサーバに接続した後、自身のＩＰアドレス及び自身の格納装置に格納された放送プログラムに関する目録を上記サーバに伝送し、上記サーバは伝送されたデータを上記データベースに格納及び管理することを特徴とする請求項１に記載のＰＶＲシステム。
【請求項３】
上記録画／再生装置は、特定の放送プログラムが格納されている録画／再生装置のＩＰアドレスを上記サーバのデータベースから検索し、ネットワークを通じて上記ＩＰアドレスを有する録画／再生装置に接続して上記放送プログラムの伝送を要請してダウンロードすることを特徴とする請求項２に記載のＰＶＲシステム。
【請求項４】
外部から自身の格納装置内に格納されている放送プログラムの伝送を要請された録画／再生装置は、伝送許可又は伝送不可のメッセージを送信し、伝送を許可する場合、上記放送プログラムに関するデータを共有する状態に切り換えることを特徴とする請求項３に記載のＰＶＲシステム。
【請求項５】
少なくとも一つ以上の録画／再生装置、及び上記録画／再生装置がネットワークを通じて接続できるサーバを備えるＰＶＲシステムで、各録画／再生装置に格納された放送プログラムを共有できるようにする放送プログラム共有方法において、
（ａ）上記録画／再生装置がネットワークを通じて上記サーバに接続する段階と、
（ｂ）上記サーバに接続された上記録画／再生装置が自身のＩＰアドレス情報及び自身の内部格納装置に格納された放送プログラムに関する目録を上記サーバに送信する段階と、
（ｃ）上記録画／再生装置が上記サーバ内に格納されたデータベースを利用して特定の放送プログラムを検索する段階と、
（ｄ）上記特定の放送プログラムが検索されると、上記放送プログラムが格納されている録画／再生装置のＩＰアドレスを抽出する段階と、
（ｅ）上記ＩＰアドレスに該当する録画／再生装置に接続して上記放送プログラムを伝送する段階と、
（ｆ）放送プログラムのＰＶＲへのダウンロードが許可されないとき、該放送プログラムをリアルタイムで受信し再生するかまたは予約時刻にダウンロードするかを決定する段階と、
（ｇ）放送プログラムをリアルタイムで受信するときは、その転送された放送プログラムをＰＶＲの格納装置に格納し、同時にディスプレイ上に再生する段階と、
（ｈ）前記放送プログラムが予約時刻にダウンロードされたとき、データを所定時刻にリモートＰＶＲから受信し、ユーザＰＶＲの格納装置に格納する段階と、
を備えることを特徴とする放送プログラム共有方法。
【請求項６】
上記（ｂ）段階は、（ｉ）サーバに接続された上記録画／再生装置が自身の放送プログラムに関する目録情報が上記サーバに既格納されているか否かを判別する段階と、（ii）上記判別段階で既格納されていないことが判別されるとき、自身のＩＰアドレス情報及び自身の内部格納装置に格納された放送プログラムに関する目録を上記サーバに伝送する段階と、（iii ）上記判別段階で既に格納されていることが判別されるとき、自身の内部格納装置に格納された放送プログラムに関する目録の更新情報を上記サーバへ伝送する段階とを備えることを特徴とする請求項５に記載の放送プログラム共有方法。
【請求項７】
上記放送プログラム共有方法は、（ｉ）上記録画／再生装置が外部から特定の放送プログラムを送信することを要請する段階と、（ｊ）送信要請された上記放送プログラムを共有するかどうかを決定する段階と、（ｋ）上記決定段階で共有するものと決定されるとき、上記放送プログラムを共有に設定する段階と、を備えることを特徴とする請求項５に記載の放送プログラム共有方法。
【請求項８】
録画／再生装置に関するＩＰアドレス及び各録画／再生装置に格納されている放送プログラムに関する目録を格納したデータベース及び上記録画／再生装置がネットワークを通じて接続可能なサーバを備えるＰＶＲシステムで、各録画／再生装置に格納された放送プログラムを共有できるようにする放送プログラム共有方法において、
（ａ）ネットワークを通じて外部の録画／再生装置からＩＰアドレス及び上記録画／再生装置に格納されている放送プログラムに関する目録を伝送される段階と、
（ｂ）伝送された上記ＩＰアドレス及び目録をデータベース化する段階と、
（ｃ）外部の録画／再生装置から特定の放送プログラムに対する検索を要請する段階と、
（ｄ）検索要請された上記特定の放送プログラムが格納されている録画／再生装置に関するＩＰアドレスを上記要請した録画／再生装置に伝送する段階と、
（ｅ）放送プログラムのＰＶＲへのダウンロードが許可されないとき、該放送プログラムをリアルタイムで受信し再生するかまたは予約時刻にダウンロードするかを決定する段階と、
（ｆ）放送プログラムをリアルタイムで受信するときは、その転送された放送プログラムをＰＶＲのハードディスクに格納し、同時にディスプレイ上に再生する段階と、
（ｇ）前記放送プログラムが予約時刻にダウンロードされたとき、データを所定時刻にリモートＰＶＲから受信し、ユーザＰＶＲのハードディスクに格納する段階と、
を備えることを特徴とする放送プログラム共有方法。
【発明の詳細な説明】
【０００１】
【発明の属する技術分野】
本発明は、内部格納装置であるハードディスクを備える録画／再生装置、ＰＶＲ及び少なくとも一つ以上の録画／再生装置が内部格納装置に格納された放送プログラムを共有できる放送プログラム共有方法に関し、より具体的には放送データ録画／再生装置、一つ以上の録画／再生装置であるＰＶＲ(Personal Video Recorder）がネットワークを利用して各ＰＶＲに備えられたハードディスクに格納されている放送プログラムを互いに共有できるようにするＰＶＲ及び放送プログラム共有方法に関する。
【０００２】
【従来の技術】
テレビジョンは多くの人々の生活に影響を及ぼす電子製品である。特にテレビジョンは多くの人々が自身の関心（例えば、娯楽、教育、情報など）を満足させることが出来るオーディオとビデオのプログラム（例えば、テレビジョンプログラム）を受信できるようにする。テレビジョンプログラムはいろいろな媒体（例えば、無線波、ケーブル、衛星信号）を通じて特定の時間に多くの人々に放送される。ところが、テレビジョン視聴者は自身のスケジュールのため、所望のプログラムをいつも視聴することができない。従って、特定のテレビジョンプログラムを所望の時間に視聴できるように、録画をする必要性が発生する。
【０００３】
このような理由にて、ＶＨＳ（商標名）のような方式でテレビジョンプログラムを録画する装置（ビデオカセットレコーダ）が開発された。ところが、このような装置はいろいろな問題点を有する。例えば、ビデオカセットレコーダはその録画可能時間が一般的に各ビデオカセット当り１.５〜６時間程度に制限される。このように制限された録画時間により、予定された時間の一連のプログラムを全て録画することは出来ない。又、一部のビデオカセットはアナログ信号に記録格納するため、その再生画質が不良である。
【０００４】
【発明が解決しようとする課題】
本発明は、前述したような従来技術の問題点を解決するためのもので、ハードディスク容量の制限を克服できるＰＶＲシステムを提供することをその目的とする。
【０００５】
【課題を解決するための手段】
本発明の実施形態は、メモリ（即ち、ファームウェア）、格納装置（即ち、ハードディスクドライブ）及びネットワークインターフェース（即ち、ＬＡＮインターフェース）を備える装置（例えば、ＰＶＲ）に関するものである。上記メモリは実質的に上記装置のオペレーティングシステムのみを独占的に格納するように構成される。上記ネットワークインターフェースは上記メモリと上記格納装置に連結される。
上記目的を達成する本発明によるＰＶＲシステムは、ネットワークを通じて互いに接続でき、各々の格納装置が装着された一つ以上の録画／再生装置を備えるＰＶＲシステムにおいて、上記録画／再生装置がネットワークを通じて接続するサーバと、
上記サーバにより管理され、上記録画／再生装置の各々に関するＩＰアドレスの目録及び各録画／再生装置内の格納装置に格納された放送プログラムに関する目録が格納されたデータベースとを更に備え、上記サーバに接続された録画／再生装置は、所望の放送プログラムを上記データベースから検索し、検索された放送プログラムが格納されている該当録画／再生装置に接続して上記放送プログラムを伝送し、放送プログラムのＰＶＲへのダウンロードが許可されないとき、該放送プログラムをリアルタイムで受信し再生するかまたは予約時刻にダウンロードするかを決定し、放送プログラムをリアルタイムで受信するときは、その転送された放送プログラムをＰＶＲの格納装置に格納し、同時にディスプレイ上に再生し、前記放送プログラムが予約時刻にダウンロードされたとき、データを所定時刻にリモートＰＶＲから受信し、ユーザＰＶＲの格納装置に格納する、ことを特徴とする。
【０００６】
本発明の実施形態は、多量のビデオコンテンツを格納装置に格納することができるため、視聴者が便利な時間に視聴できるという長所を有する。ところが、上記格納装置は限定された容量を有するため、本発明の実施形態は、他の装置からビデオコンテンツをダウンロード（申請時又は実時間に）することができるネットワークインターフェースを使用する。このようなダウンローディングにより視聴者が格納装置に格納されたビデオコンテンツ又はテレビジョンネットワークを通じて実時間に放送されるビデオコンテンツを視聴するに際し制限がなくなるようになる。
【０００７】
このような長所は、その装置が、パーソナルビデオレコーダ（Personal Video Recorder：以下、“ＰＶＲ”という）の場合において一層有用である。パーソナルビデオレコーダは少なくとも一つのテレビジョンチューナを備えるか、それに連結されている装置である。ＰＶＲは格納装置に少なくとも１つのテレビジョンチューナから受信されるビデオコンテンツを格納するように構成される。
【０００８】
もし、ユーザが後にビデオコンテンツを視聴することを希望したら、ＰＶＲにより上記ビデオコンテンツを記録することは、ユーザにより実時間（即ち、テレビジョンプログラムが放送される間）にするか、それとも事前（テレビジョンプログラムの放送前）にするかを決定できる。ところが、格納装置が限定された容量を有するため、ＰＶＲがユーザにより設定される全てのビデオコンテンツを記録できないこともあり得る。一方、ユーザはビデオコンテンツが放送された後に、それを放送される前に見ようとする最初の欲求を有し得る。本発明の実施形態によるＰＶＲは他の装置（即ち、他のＰＶＲ）からコンテンツをダウンロードするために、ネットワークインターフェースを使うことが出来る。従って、このような本発明の実施形態によりユーザは所望のビデオコンテンツを後に視聴することが出来る。
【０００９】
本発明の他の長所、目的、及び特徴については詳細な説明に述べられており、本発明の実施形態を通して述べられている。本発明のこのような目的及び長所は特許請求の範囲に特に明確に記されている。
【００１０】
本発明の実施形態は、他の放送局から放送されるプログラムを同時に記録できるＰＶＲに関するものである。ＰＶＲはプログラムを最高３０時間まで格納できるハードディスクを使用する。ＰＶＲの一例は中央処理装置（ＣＰＵ）、及び／又はビデオシグナル処理機を含む。上記ＣＰＵ及び／又はビデオシグナル処理機は受信されたテレビジョン放送（即ち、ＡＴＳＣ規格のデジタル放送データ項目、ＥＨはＮＴＳＣ規格のアナログ放送データ項目など）をデジタル信号に変換する。次に、上記デジタル信号をメモリ装置（即ち、ハードディスク）に格納する。上記ハードディスクに格納された放送データ項目は後に表示装置（即ち、テレビジョンスクリーン）上に再生することができる。ＰＶＲの核心機能はプログラムを録画し、録画されたプログラムを再生するものである。
【００１１】
本発明の実施形態により、視聴者は一つ以上の放送テレビジョンプログラムを同時に録画できる。後に視聴者は録画されたプログラムのうちの一つを選択的に見ることが出来る。ところが、ＰＶＲに装着されたハードディスクの容量は限定されている。これによりハードディスクに格納できるテレビジョンプログラムの量は制限される。このような問題点の解決方法はユーザが格納されたプログラムをハードディスクから削除してその空間を増加させるものである。このような削除は手動又は自動に行うことが出来る。ところが、このような解決方法は、削除されたプログラムをユーザがまだ見なかったか、又は後に再度見ることを希望する場合に視聴できないという短所がある。
【００１２】
【発明の実施の形態】
以下、添付の図面を参照して、本発明に係る録画／再生装置の構成及びその動作を具体的に説明する。
【００１３】
先ず、本発明に係る録画／再生装置の構成及び動作を図１を参照して説明する。図１は、本発明に係る録画／再生装置の実施例のブロック図である。図１を参照すると、本発明に係る録画／再生装置は、チューナ部１００、デジタル信号処理部１１０、ハードディスクドライブ（ＨＤＤ）１２０、ネットワークインターフェース部１３０、Ｄ／Ａコンバータ１５０及び／又はディスプレイ１６０を備える。ハードディスクドライブ１２０は格納（保存）装置である。ネットワークインターフェース部１３０は上記録画／再生装置が外部のネットワーク１４０に接続されるようにする。Ｄ／Ａコンバータ１５０はデジタル放送信号をアナログ信号に変換する。
【００１４】
チューナ部１００はアンテナを通じて放送網から伝送される放送データを受信して電波から受信されるＴＶ信号を同調して処理可能なベースバンド信号に変換させた後、後述するデジタル信号処理部１１０へ伝達する。このとき、デジタルの放送データは、ＡＴＳＣチューナであるチューナ１の１０２に受信されチューニングされ、ＮＴＳＣ規格の放送データは、チューナ２の１０４に受信されチューニングされる。
【００１５】
デジタル信号処理部１１０はビデオメモリ１１２、ＣＰＵ１１４、ビデオシグナルプロセッサ１１６及びデータストレージインターフェース部１１８を備える。このようなデジタル信号処理部１１０は、チューナから同調された放送信号が伝送されると、ＣＰＵ１１４及びビデオシグナルプロセッサ１１６を通じてデジタル信号に変換し、再度映像を圧縮する。このように変換された放送信号はデータストレージインターフェース部１１８を通じて格納装置であるハードディスクドライブ１２０に格納される。チューナ部１１０から受信されるか、ハードディスクドライブ１２０に格納された放送プログラムは、Ｄ／Ａコンバータ１５０を通じてアナログ形態の信号に変換され、ディスプレ１６０を通じて再生され、これにより視聴者（ユーザ）が視聴できるようになる。
【００１６】
一方、本実施例に係る録画／再生装置はネットワークインターフェース部１３０を更に備えることにより、外部のネットワーク１４０に連結することが出来る。ここで、ネットワークとは、インターネット、イントラネットなどがあり得る。また、ネットワークインターフェース部１３０はモデム、専用線又はＬＡＮなどを使用できる。このようにネットワークインターフェース部１３０を更に備えることにより、録画／再生装置はインターネットのようなネットワークに連結された他の録画／再生装置と放送プログラムに関するデータ交換及び通信を行うことが出来る。
【００１７】
図２は、少なくとも１つの前述した録画／再生装置であるＰＶＲが、ネットワークを通じて互いに連結されている全体システムの具体例を示すブロック図である。以下、図２を参照して本発明に係るシステムの構成及び動作を具体的に説明する。本発明に係るＰＶＲシステムは、データベース２１０、２２０を構築しているサーバ２００及び格納装置２４０が装着された録画／再生装置であるＰＶＲ２３０から構成され、上記各ＰＶＲとサーバはネットワークを通じて互いに接続することが出来る。
【００１８】
サーバ２００は、ＰＶＲ−ＩＰ目録データベース（ＤＢ）２２０及び／又はプログラム目録データベース２１０を含む。ＰＶＲ−ＩＰ目録データベース２２０は各ＰＶＲに関するＩＰアドレスを格納する。プログラム目録データベース２１０は各ＰＶＲの格納装置に格納された放送プログラムの目録を格納する。各ＰＶＲ２３０は内部格納装置であるハードディスクドライブ（ＨＤＤ）２４０を備えており、ユーザは所望の放送プログラムをハードディスクドライブ２４０に格納することが出来る。又、ＰＶＲ内部にネットワークインターフェース部を更に備え、上記ネットワークインターフェース部を利用して外部ネットワークを通じて上記サーバ又は他のＰＶＲに接続してデータを検索するか、交換することができる。
【００１９】
図３は本発明に係るサーバのデータベースを構築する過程の具体例を示すフローチャートである。図３を参照すると、先ず各ＰＶＲがネットワークを通じてサーバに接続し（段階３００）、自身のＩＰアドレス及び自身のハードディスク内に格納された放送プログラムの目録をサーバへ伝送する（段階３１０）。次に、ＩＰアドレス及び放送プログラム目録を伝送されたサーバは該当データをＰＶＲ−ＩＰ目録データベース及びプログラム目録データベースにそれぞれ格納する（段階３２０）。
【００２０】
図４は、ネットワーク化されたＰＶＲシステムにおいて、一つの録画／再生装置がマスタとして動作する過程の具体例を示すフローチャートであり、１つのＰＶＲが他のＰＶＲのハードディスクに格納されている特定の放送プログラムに関するデータを伝送する過程を示す。図４を参照すると、先ずユーザはＰＶＲのネットワークインターフェース部を利用してサーバへ接続し（段階４００）、視聴したい放送プログラムが格納されているＰＶＲを検索し、上記ＰＶＲに関するＩＰアドレスをサーバ内のデータベースから抽出する（段階４１０）。
【００２１】
次に、検索されたＩＰアドレスのうち、１つのＩＰアドレスのＰＶＲに接続して、上記放送プログラムのダウンロードを要請する（段階４２０）。このとき、段階４３０でダウンロードの要請を受けたＰＶＲからダウンロードが許可されないとき、検索された他のＩＰアドレスのＰＶＲに接続して、上記放送プログラムのダウンロードを更に要請する（段階４４０）。一方、段階４３０でダウンロードの要請を受けたＰＶＲからダウンロードが許可されるとき、実時間に伝送するか、又は予約録画するかを決定する（段階４５０）。もし実時間に伝送されると、ユーザのＰＶＲ内のハードディスクに伝送される放送プログラムを格納しながら、ディスプレイに再生させることにより視聴できるようになる（段階４６０）。そして、予約された時間に録画する場合には、予約された時間に上記ＰＶＲからデータを伝送し、ユーザのＰＶＲ内のハードディスクに格納する（段階４７０）。
【００２２】
図５は、ネットワーク化されたＰＶＲシステムにおいて、一つの録画／再生装置がスレーブとして動作する過程の具体例を示すフローチャートであり、外部の他のＰＶＲから特定の放送プログラムのダウンロードを要請され、伝送する過程を示す。図５を参照すると、先ずネットワークを通じて外部の他のＰＶＲから特定の放送プログラムをダウンロードすることを要請されると（段階５００）、ダウンロードするか否かを決定する（段階５１０）。
【００２３】
もし、段階５１０でダウンロードを許可することができなければ、ダウンロード不可のメッセージを伝送し、他のＰＶＲからの検索要請があるかどうかを定期的にチェックする（段階５３０）。しかし、段階５１０で上記放送プログラムのダウンロードを許可する場合には、ハードディスク内に格納された放送プログラムを上記ダウンロードを要請したＰＶＲと共有させることにより、上記ダウンロードを要請したＰＶＲは上記放送プログラムをダウンロードすることができる（段階５２０）。
【００２４】
本発明の実施例によれば、ネットワークを基盤として格納装置を共有することができるＰＶＲを提供でき、本発明の目的、すなわち内部に装着された格納装置であるハードディスク容量の制限を克服できる録画／再生装置の提供を達成できる。又、本発明の実施例によれば、１つ以上の録画／再生装置が視聴者に内装されたハードディスク容量による制限無く、多様な放送プログラムを視聴できるようにする放送プログラムを共有する方法を提供することができる。
【００２５】
本発明の実施例により提供される内装型格納装置を有する放送データ録画／再生装置は、電波を通じて受信される放送信号をチューニングし、上記放送信号を処理可能な信号に変化させるチューナを含む。デジタル信号処理部はチューナから伝送される放送信号をデジタル信号に変換した後、映像を圧縮する。ネットワークインターフェース部は放送データ録画／再生装置が外部のネットワークに連結されるようにし、デジタル信号処理部は他の放送データ録画／再生装置の格納装置に格納された放送データをネットワークインターフェース部を通じて受信し、放送信号を画面上に出力する。本発明の実施例では、ネットワークインターフェース部は、モデム、専用線、及びＬＡＮの中の一つを含む。
【００２６】
本発明の実施例によれば、ネットワークを通じて互いに接続でき、格納装置が装着された少なくとも一つの録画／再生装置を含むＰＶＲシステムを提供できる。ＰＶＲシステムはサーバ及びデータベースを含む。上記サーバはネットワークを通じて連結可能な録画／再生装置を有する。上記データベースは上記サーバにより運営され、各録画／再生装置のＩＰリスト及び各録画／再生装置の格納装置に存在する放送プログラムに関するリストを格納する。上記サーバに連結される録画／再生装置はデータベースから所望の放送プログラムを検索し、検索されたプログラムが格納された録画／再生装置に接続することにより検索されたプログラムを受信する。
【００２７】
本発明の実施例に係る録画／再生装置は、ネットワークを通じてサーバに接続した後に、録画／再生装置に関するＩＰアドレス及び上記録画／再生装置の格納装置に格納された放送プログラムに関する目録を伝送し、上記サーバは受信された放送データをデータベースに格納し管理する。
【００２８】
本発明の実施例に係る録画／再生装置は、サーバのデータベースから特定の放送プログラムが格納された録画／再生装置のＩＰアドレスを検索し、ネットワークを通じて上記ＩＰアドレスを有する録画／再生装置に接続して、上記特定の放送プログラムの伝送を要請することにより上記プログラムをダウンロードする。
【００２９】
前述した実施例と長所は単に例示的なものであって、本発明がこれに限られるものではない。本発明はいろいろな種類の装置に適用することができる。又、本発明の詳細な説明は本発明を説明するためのものであり、特許請求の範囲を制限するものではない。
【００３０】
【発明の効果】
本発明に係る１つ以上の録画／再生装置によれば、ネットワークを使用して録画／再生装置に装備された格納装置を互いに共有することができ、その結果、ユーザは自身の録画／再生装置であるＰＶＲに内装された格納装置の容量の制限無く、全ての放送プログラムを視聴することが出来る。
【００３１】
本発明によれば、各ＰＶＲに備えられたハードディスクに格納されている放送プログラムを共有し、サーバに格納されたデータベースを通じて各ＰＶＲに格納された放送プログラムの目録を検索することができ、その結果、ハードディスクの容量の制限を緩和させることが出来、従って、ハードディスクを効率的に使用することが出来る。
【図面の簡単な説明】
【図１】本発明に係る放送データの録画／再生装置の実施例のブロック図である。
【図２】格納装置を共有する１つ以上の録画／再生装置を有する全体的なＰＶＲシステムの具体例を示すブロック図である。
【図３】ネットワーク化されたＰＶＲシステムにおいて、サーバのデータベースを構築する過程の具体例を示すフローチャートである。
【図４】ネットワーク化されたＰＶＲシステムにおいて、一つの録画／再生装置がマスタとして動作する過程の具体例を示すフローチャートである。
【図５】ネットワーク化されたＰＶＲシステムにおいて、一つの録画／再生装置がスレーブとして動作する過程の具体例を示すフローチャートである。
【符号の説明】
１００…チューナ部
１１０…デジタル信号処理部
１２０…ハードディスクドライブ（ＨＤＤ）
１３０…ネットワークインターフェース部
１４０…ネットワーク
１５０…Ｄ／Ａコンバータ
１６０…ディスプレイ
２００…サーバ
２１０…プログラム目録ＤＢ
２２０…ＰＶＲ−ＩＰ目録ＤＢ
２３０…ＰＶＲ
２４０…ＨＤＤ
【図１】
0003950036.tif 000002
【図２】
0003950036.tif 000003
【図３】
0003950036.tif 000004
【図４】
0003950036.tif 000005
【図５】
0003950036.tif 000006